(57)【要約】      （修正有） 【課題】第一入力モードから切替キーを操作することによって第二入力モードに切替えた後、所定時間内に操作キーが操作されない場合、入力モードが第一入力モードに戻る操作キー装置を提供する。【解決手段】ブラウザが特定のキーを優先的に使用するモードの時、切替キーを押すとタイマーを起動する。タイマーで設定された期間中に操作キーが操作されると、テレビ操作のキーと判断すると共にタイマーをリセットする。これによって、切替キー押下のあとキーが連続して押されている間、テレビの操作を連続して行うことができる。【選択図】図５
2006295356.tif 000002
【特許請求の範囲】
【請求項１】
複数の入力モードを有し、該入力モードに応じて各々の入力操作キーが異なる用途に使用される操作キーと、該複数の入力モードの内の1つの入力モード選択のための切替キーを有し、
第一入力モードから該切替キーを操作することによって第二入力モードに切替えた後、所定時間内に該操作キーが操作されない場合、入力モードが該第一入力モードに戻ることを特徴とする操作キー装置。
【請求項２】
上記所定時間をカウントするタイマを有し、上記第一入力モードから上記第二入力モードに切替えたときに該タイマをスタートさせ、該タイマが該所定時間のカウントを終了すると、入力モードが該第一入力モードに戻ることを特徴とする請求項１に記載の操作キー装置。
【請求項３】
上記タイマ動作中において、上記操作キーの操作がなされると、上記タイマがリセットされることを特徴とする請求項１及び２に記載の操作キー装置。
【請求項４】
上記複数の入力モードは、上記切替キーを操作することによって順次切替可能であることを特徴とする請求項１乃至３に記載の操作キー装置。
【請求項５】
請求項１乃至４に記載の操作キー装置を具備した放送受信器。
【請求項６】
データ放送を含むテレビ放送を受信可能な放送受信部、受信されたテレビ放送からテレビ番組とデータ放送サービスを分離する信号処理部と、テレビ番組とデータ放送を分割表示可能な表示部と、テレビ番組に関する操作を行なうテレビモードとデータ放送に関する操作を行なうデータ放送モードに共用される操作キーと、該二種類のモードを切替える切替キーを有し、
テレビ放送を選局すると、関連するデータ放送サービスも受信され、該操作キーがデータ放送モードに設定され、該切替キーを操作することでデータ放送モードからテレビモードに変更可能であり、該切替キーを操作後、該所定時間が経過するとテレビモードからデータ放送モードに戻ることを特徴とする放送受信装置。
【請求項７】
データ放送を含むテレビ放送を受信可能な放送受信部、受信されたテレビ放送からテレビ番組とデータ放送サービスを分離する信号処理部と、テレビ番組とデータ放送を分割表示可能な表示部と、テレビ番組に関する操作を行なうテレビモードとデータ放送に関する操作を行なうデータ放送モードに共用される操作キーと、該二種類のモードを切替える切替キーを有し、
テレビ放送を選局すると、関連するデータ放送サービスも受信され、該操作キーがテレビモードに設定され、該切替キーを操作することでテレビモードからデータ放送モードに変更可能であり、該切替キーを操作後、該所定時間が経過するとデータ放送モードからテレビモードに戻ることを特徴とする放送受信装置。
【請求項８】
上記所定時間をカウントするタイマを有し、上記データ放送モードから上記テレビモードに切替えたときに該タイマをスタートさせ、該タイマが該所定時間のカウントを終了すると、テレビモードからデータ放送モードに戻ることを特徴とする請求項６に記載の放送受信装置。
【請求項９】
上記所定時間をカウントするタイマを有し、上記テレビモードから上記データ放送モードに切替えたときに該タイマをスタートさせ、該タイマが該所定時間のカウントを終了すると、データ放送モードからテレビモードに戻ることを特徴とする請求項７に記載の放送受信装置。
【請求項１０】
上記タイマ動作中において、上記操作キーの操作がなされると、上記タイマがリセットされることを特徴とする請求項８及び９に記載の放送受信装置。
【発明の詳細な説明】
【技術分野】
【０００１】
本発明は、切替え可能な複数の入力モードを有する入力操作キーに関し、特にテレビ操作モードとブラウザ操作モードを有するデジタル放送受信装置における入力操作キーに関する。
【背景技術】
【０００２】
デジタルテレビ放送においては、テレビ番組データと共にデータ放送サービスも含んでいる。データ放送サービスのコンテンツは、例えばＢＭＬデータなどのブラウザデータで構成されている。
【０００３】
ＢＭＬデータで構成されたデータ放送サービスのコンテンツは、受信機に組み込まれたＢＭＬブラウザによって解釈され、画面上に表示される。通常、テレビ放送番組の画面を表示部分の上半分に、ＢＭＬデータ（データ放送サービスのコンテンツ）を表示部分の下半分に配置して表示する場合が多い。
【０００４】
テレビ番組画面に関する操作（例えば音量の増減、チャンネルの切替えなど）とブラウザ画面に関する操作（例えばカーソルの移動、スクロールなど）は、本テレビ放送受信装置に設けられた操作ボタンで行う。しかし、デジタルテレビの規格によれば、ある特定のキー（上下移動キー、決定キーなど）は、選局直後にＢＭＬブラウザが取得するように義務付けられている（操作キーは、ブラウザモードになる）。
【０００５】
しかしながら、テレビ放送受信装置、特に携帯型テレビ放送受信装置が有する操作キーの数は限られており、選局直後にＢＭＬブラウザが取得する操作キー（ブラウザモードにセットされる操作キー）は、通常、テレビ画面用の操作にも使用されることが多い。
【０００６】
そのため、テレビ画面の操作を行う場合には、操作キーのモードを切替えるためのキー（切替えキー）を押してモードをテレビモードに切替えた後に、テレビ画面用の操作を行うようにする。或いは、常にブラウザモードにしておいて、テレビ画面用の操作を行う場合には、その都度直前に切替えキーを押すようにしてもよい。
【０００７】
しかし、何れの場合でもテレビ画面用の操作に対して操作キーを押す回数が増加したり、切替えたモードを認識できず誤操作を行ったりすることがあり、ユーザにとっては使い勝手が悪かった。
【特許文献１】特開２００４−２３５７７６
【発明の開示】
【発明が解決しようとする課題】
【０００８】
特に携帯型のテレビ放送受信装置では、配置できる操作キーの数が限定される。限られた操作キーで、テレビ画面用の操作とブラウザ用の操作を切替えて行う場合、操作キーの操作回数が多くなったり、操作モードの誤認識による誤操作が起こりやすいという問題があった。
【課題を解決するための手段】
【０００９】
本願発明は、上記問題に鑑みなされたものであり、複数の入力モードを有し、該入力モードに応じて各々の入力操作キーが異なる用途に使用される操作キーと、該複数の入力モードの内の1つの入力モード選択のための切替キーを有し、第一入力モードから該切替キーを操作することによって第二入力モードに切替えた後、所定時間内に該操作キーが操作されない場合、入力モードが該第一入力モードに戻ることを特徴とする操作キー装置である。
【００１０】
ここで、上記所定時間をカウントするタイマを有し、上記第一入力モードから上記第二入力モードに切替えたときに該タイマをスタートさせ、該タイマが該所定時間のカウントを終了すると、入力モードが該第一入力モードに戻るように構成するのが望ましい。
【００１１】
さらに、上記タイマ動作中において、上記操作キーの操作がなされると、上記タイマがリセットされるようにすることが望ましい。
【００１２】
ここで、上記複数の入力モードは、上記切替キーを操作することによって順次切替可能である。
【００１３】
また、本願発明は、このような操作キー装置を具備した放送受信器でもある。
【００１４】
一方、本願発明は、データ放送を含むテレビ放送を受信可能な放送受信部、受信されたテレビ放送からテレビ番組とデータ放送サービスを分離する信号処理部と、テレビ番組とデータ放送を分割表示可能な表示部と、テレビ番組に関する操作を行なうテレビモードとデータ放送に関する操作を行なうデータ放送モードに共用される操作キーと、該二種類のモードを切替える切替キーを有し、テレビ放送を選局すると、関連するデータ放送サービスも受信され、該操作キーがデータ放送モードに設定され、該切替キーを操作することでデータ放送モードからテレビモードに変更可能であり、該切替キーを操作後、該所定時間が経過するとテレビモードからデータ放送モードに戻ることを特徴とする第一の形態の放送受信装置でもある。
【００１５】
或いは、データ放送を含むテレビ放送を受信可能な放送受信部、受信されたテレビ放送からテレビ番組とデータ放送サービスを分離する信号処理部と、テレビ番組とデータ放送を分割表示可能な表示部と、テレビ番組に関する操作を行なうテレビモードとデータ放送に関する操作を行なうデータ放送モードに共用される操作キーと、該二種類のモードを切替える切替キーを有し、テレビ放送を選局すると、関連するデータ放送サービスも受信され、該操作キーがテレビモードに設定され、該切替キーを操作することでテレビモードからデータ放送モードに変更可能であり、該切替キーを操作後、該所定時間が経過するとデータ放送モードからテレビモードに戻ることを特徴とする第二の形態の放送受信装置でもある。
【００１６】
さらに、第一の形態の放送受信装置においては、上記所定時間をカウントするタイマを有し、上記データ放送モードから上記テレビモードに切替えたときに該タイマをスタートさせ、該タイマが該所定時間のカウントを終了すると、テレビモードからデータ放送モードに戻るように構成することが望ましい。
【００１７】
また、第二の形態の放送受信装置においては、上記所定時間をカウントするタイマを有し、上記テレビモードから上記データ放送モードに切替えたときに該タイマをスタートさせ、該タイマが該所定時間のカウントを終了すると、データ放送モードからテレビモードに戻るように構成することが望ましい。
【００１８】
さらに、上記放送受信装置において、上記タイマ動作中において、上記操作キーの操作がなされると、上記タイマがリセットされるように構成することが望ましい。
【発明の効果】
【００１９】
本願発明による操作キーでは、設定されている操作モードと異なる操作モードの操作を行う場合、連続して操作をするならば、最初に1回だけ切替キーを押下すればよく、操作が終了すれば一定時間後に自動的に元の操作モードに戻る。
【００２０】
また、本発明の操作キーを使用すれば、操作キーの数が限られていても、デジタルテレビ視聴中にテレビ画面用の操作を簡単に行うことができ、且つ誤操作を減らすことができる。
【発明を実施するための最良の形態】
【００２１】
本発明による操作キーを具備したデジタルテレビ放送受信機の実施形態について、以下に図を参照しながら説明を行う。
【００２２】
図１に、本発明による操作キーの実施形態としての携帯型デジタルテレビ放送受信器（１）についての機能構成図を示す。図１に示すように、本発明の操作キーを具備したデジタル放送受信機は、デジタルテレビ放送の電波を受信するアンテナ（１０１）、アンテナ（１０１）で受信されたテレビ放送電波から所望のチャンネルを選局し受信を実行するチューナ（１０２）、デジタルテレビの受信信号を処理する装置であって、チューナ（１０２）から出力されるＴＳ（トランスポート・ストリーム）を読み込んで、映像や音声、チャンネル情報や番組情報などを記述したＰＳＩ／ＳＩ、データなどに分離し、映像や音声の再生、データ放送の表示などを行う信号処理装置（１０３）、音声を出力するスピーカ（１０４）、映像やデータ放送、またチャンネル情報や番組情報を表示する表示装置（１０６）、複数の操作キーで構成されたキー入力装置（１０７）、プログラムやデータを保存するＲＡＭ（１０８）とＮＶＲＡＭ（１０９）、充電可能な電池（１１０）、充電制御を行う充電制御装置（１１１）、ＡＣアダプタ（１１２）、デジタル放送受信装置（１）全体を制御する制御装置（１０５）で構成されている。
【００２３】
図２は、表示装置（１０６）にて表示される画面の構成を表している。１０６１はピクトエリアであって、時刻やアンテナ受信感度などを表示する。ここに、現在の操作キーの入力モードを表す表示を行うようにしても良い。ここで、入力モードにはブラウザモードとテレビモードがあり、ブラウザモードでは、操作キーはデータ放送サービスより受信されるブラウザ情報に関する操作が割り当てられており、テレビモードでは、操作キーはテレビ画像に関する操作が割り当てられる。
【００２４】
また、本実施形態の携帯型テレビ放送受信装置が携帯電話機能を有する場合は、メール着信や着呼などがあったときもこのエリアにアイコンが表示される。１０６２は、テレビ画面領域であり、視聴中のテレビ番組の映像が表示される。１０６３はブラウザ表示領域であり、視聴中のテレビ番組に関連するデータ放送サービスや、受信されるデータ放送サービスのコンテンツなどを表示する。また、１０６４は、図３の１０７１、１０７３に示されるソフトキーの機能を表示する領域である。
【００２５】
次に図３は、キーボードの構成を表している。１０７１、１０７２はソフトキーであって、操作の状態に応じてその役割を変更することができるキーである。図２で表されるＴＶ視聴中は、１０７２が操作キーの入力モードの切替を行なうための切替キーを、１０７１がメニュー表示の機能が割り当てられる。
【００２６】
そして、１０８３は、上下左右キーである。本実施形態では、操作キーの入力モードがブラウザモードである場合は、上下キーがカーソルの移動を制御する操作キーとなり、テレビモードの場合は、左右が受信チャンネルのアップダウン選局の機能を、上下がボリュームの制御を行う操作キーとなっている。１０８４は、電話機能やメール機能に関する通話開始や終話、マナーモード設定、本装置（１）の電源オン／オフなどの指示を行う操作キーである。１０８５は数字キーであって、０〜９、＃、＊を含んでいる。これらは、更にメール機能時などにおいては、文字入力キーとしても機能させることができる。
【００２７】
図４から図６は、本実施形態のテレビ放送受信装置（１）の処理の内、テレビ視聴中の操作キーに関して、テレビモードとブラウザモードの切替え処理のフローを表している。電源をオンにすると、まずは初期処理（Ｓ１００）が実行される。初期処理では、作業メモリのクリア、時間待ちタイマの初期化などがある。初期化が終了したら、メニューを表示する（Ｓ１０１）。表示されたメニューから所望のメニューを選択する（Ｓ１０２）。選択されたメニューがテレビ視聴以外であれば（Ｓ１０３でＮｏ）、選択されたメニューの処理を行い（Ｓ１０４）、選択されたメニューの処理が終了したら再びＳ１０１に戻ってメニューを表示する。
【００２８】
選択された機能がテレビ視聴であれば（Ｓ１０３でＹｅｓ）、チューナ（１０２）の電源をオンにし（Ｓ１０５）、ラストチャンネル情報を取得する（Ｓ１０６）。ラストチャンネル情報とは、直前に選局されたチャンネルの情報であり、ＮＶＲＡＭ（１０９）に保持されている。ラストチャンネルに関する情報の有無を調べ、ラストチャンネル情報がＮＶＲＡＭ（１０９）に保持されていなければ（Ｓ１０７でＮｏ）、サービスリストの最初のチャンネル情報を取得する（Ｓ１０８）。サービスリストがＲＡＭ（１０８）またはＮＶＲＡＭ（１０９）に保持されていない場合は（Ｓ１０９でＮｏ）、チャンネルスキャンを行ってサービスリストを作成し（Ｓ１１０）、再びＳ１０８に戻る。ここで、サービスリストとは、受信可能な放送チャンネルに関する情報のリストである。
【００２９】
次に、ラストチャンネル情報が取得できたか（Ｓ１０７でＹｅｓ）、サービスリストの最初のチャンネルの情報が取得できれば（Ｓ１０９でＹｅｓ）、その取得されたチャンネル情報に基づいてチューナ（１０２）に選局を行わせる。しかし、取得できたチャンネル情報が、その時点で放送エリア外であるなどの理由で受信できないチャンネルである場合などがありえる。このように放送エリア外であったり、電波状況が良くないなどの理由で選局が失敗したと判断した場合（Ｓ１２１でＮｏ）、その旨エラー表示を行う（Ｓ１２２）。
【００３０】
ここで、ダイレクトチャンネル選局を行うかどうかを上記エラー表示において選択できるようにする。例えば、エラー表示において「ダイレクト選局するか？」と表示し、ソフトキー（１０７１）（１０７２）で選択する（ソフトキーに「ＹＥＳ」と「ＮＯ」が配置される）。ここで、ダイレクト選局を選択すると、地上波デジタルテレビ放送であれば、各放送サービスを指定できる３桁のチャンネル番号を数字キー（１０８５）を使用して入力でき（Ｓ１２３でＹｅｓ）、Ｓ１２０に戻る。
【００３１】
一方、ダイレクト選局を選択しなければ（Ｓ１２３でＮｏ）、表示装置（１０６）にチャンネルスキャンの選択画面が表示される。具体的には、「チャンネルスキャンしますか？」と表示され、ソフトキー（１０７１）（１０７２）で選択する（ソフトキーに「ＹＥＳ」と「ＮＯ」が配置される）。チャンネルスキャンを選択すると（Ｓ１２４でＹｅｓ）、Ｓ１１０に戻り、チャンネルスキャンを選択しなければ（Ｓ１２４でＮｏ）、Ｓ１０１に戻りメニューを表示する。
【００３２】
また、選局が成功したと判断できれば（Ｓ１２１でＹｅｓ）、選局したチャンネル情報をラストチャンネルとしてＮＶＲＡＭ（１０９）に記憶する（Ｓ１２５）。続いて、選局されたチャンネルのテレビ映像とそれに関連するデータ放送情報（ブラウザ情報）を表示装置（１０６）に、図２の如く表示する（Ｓ１２６）。次に操作キーをブラウザモードに設定する（Ｓ１２７）。
【００３３】
ブラウザモードに設定されると、キー入力を待機する（Ｓ１２８）。何らかのキーが入力される前に切替タイマのカウントが終了したと判断すれば（Ｓ１２９でＹｅｓ）、Ｓ１２７に戻る。
【００３４】
キー入力待機状態において（Ｓ１２８）、入力されたキーが切替キー（１０７２）である場合（Ｓ１３０でＹｅｓ）、現在の入力モードがテレビモードであるか否かを判断する（Ｓ１３１）。まずは、Ｓ１２７でブラウザモードにセットされているので、現在の入力モードはテレビモードではないから（Ｓ１３１でＮｏ）、入力モードを変更し、テレビモードにセットする（Ｓ１３２）。テレビモードにセットされると、切替タイマをリセットし、スタートさせ、再び操作キー入力待機状態となる（Ｓ１２８）。
【００３５】
操作キー入力がないまま、切替タイマーのカウントが終了した場合（Ｓ１２９でＹｅｓ）は、Ｓ１２５に戻り、再び操作入力キーのモードをブラウザモードに戻してセットする。
【００３６】
切替タイマのカウントが終了する前に、キー入力があり、操作されたキーが切替キーでない場合（Ｓ１３０でＮｏ）、現在の操作キーの入力モードを判断し（Ｓ１４０）、操作された入力キーを認識する。即ち、現在の入力モードがテレビモードであれば、入力されたキーに対応した処理を実行する（Ｓ１４２）。処理が終了すると、再び切替タイマをリセット、リスタートさせる（Ｓ１４３）。テレビ視聴を終了しないならば（Ｓ１４４でＮｏ）、操作キー入力待機状態に戻る（Ｓ１２８）。
【００３７】
一方、現在の入力モードがブラウザモードであれば（Ｓ１４０）、入力されたキーに対応した処理を実行する（Ｓ１４１）。処理が終了し、テレビ視聴を終了しないならば（Ｓ１４４でＮｏ）、操作キー入力待機状態に戻る（Ｓ１２８）。
【００３８】
また、テレビ視聴を終了すると（Ｓ１４４でＹｅｓ）、Ｓ１０１に戻ってメニューを表示する。
【００３９】
ここでは、切替タイマは、入力モードをテレビモードにセットする所定の時間をカウントするタイマであり、制御装置（１０５）内にソフト的なタイマを設けることで実施されるものとするが、本願発明はこれに限定されるものではない。切替タイマの実施形態は如何なる形態であっても構わない。また、所定の時間とは、例えば1分間など、何らかの1つのキー操作を行うのに必要な時間であるが、その時間長さを決定するのは設計事項である。
【００４０】
本実施形態では、メニューよりテレビ視聴を選択し、選局がなされると、入力モードとしてブラウザモードがデフォルトに設定されるように構成されているが、デフォルトの入力モードがテレビモードであっても構わない。デフォルトの入力モードがテレビモードである場合、その処理フローは、図４から図６においてテレビモードとブラウザモードを置き換えた処理フローになることは自明である。
【００４１】
また、本実施形態では、入力モードをブラウザモードとテレビモードの２種類としたが、もっと多くの入力モードを有していてもよい。例えば、車載のテレビ放送受信装置であれば、テレビモード、ブラウザモード、ナビゲーションモードなどとすることも可能である。このような場合も、入力モードは切替キーを押下することで順次切替えていくことができるものとする。
【００４２】
さらに、本実施形態は、携帯型のテレビ放送受信装置における操作キーについて説明したが、本発明は、上記に限定されるものではなく、請求項に記載の本発明の技術思想に基づく様々な形態が可能である。
【図面の簡単な説明】
【００４３】
【図１】本発明の実施形態のブロック図
【図２】本発明の実施形態における表示装置の画像表示例
【図３】本発明の実施形態における操作入力キーの一例
【図４】本発明の実施形態における操作入力モード切替のフローチャート１
【図５】本発明の実施形態における操作入力モード切替のフローチャート２
【図６】本発明の実施形態における操作入力モード切替のフローチャート３
【符号の説明】
【００４４】
１         テレビ放送受信装置
１０１      アンテナ
１０２      チューナ
１０３      信号処理装置
１０４      スピーカ
１０５      制御装置
１０６      表示装置
１０７      キー入力装置
１０８      ＲＡＭ
１０９      ＮＶＲＡＭ
１１０      電池
１１１      充電制御
１１２      ＡＣアダプタ
１０６１  ピクトエリア
１０６２  テレビ画面領域
１０６３  ブラウザ表示領域
１０６４  ソフトキー機能表示領域
１０７１  ソフトキー
１０７２  ソフトキー
１０８３  上下左右キー
１０８４  電話機能等操作キー
１０８５  数字キー
【図１】
2006295356.tif 000003
【図２】
2006295356.tif 000004
【図３】
2006295356.tif 000005
【図４】
2006295356.tif 000006
【図５】
2006295356.tif 000007
【図６】
2006295356.tif 000008